【手続補正書】
【提出日】平成23年7月20日(2011.7.20)
【手続補正１】
【補正対象書類名】明細書
【補正対象項目名】００４５
【補正方法】変更
【補正の内容】
【００４５】
本発明の上記の実施例は、本発明を制限する目的ではなく、例示の目的で提供される。本明細書に記載された実施態様は、本発明の精神および範囲を逸脱することなく、種々の方法で変形または修正され得ることは当業者には明らかである。本発明の範囲は、添付の特許請求の範囲によって判定すべきである。
本発明の好ましい態様は、以下を包含する。
［１］  シラン末端ポリウレタンプレポリマー、
化合物の重量を基準として少なくとも約４０重量％のエチレンオキシド含量を有する化合物、および
触媒、
必要に応じて、可塑剤、充填剤、顔料、乾燥剤、光安定剤、抗酸化剤、揺変剤および結合剤の１以上
を含み、水への２４時間の暴露により少なくとも約１．４重量％および少なくとも約２．５体積％増加する、１成分型親水性ポリウレタンシーラント。
［２］  エチレンオキシド含量を有する化合物は、化合物の重量を基準として少なくとも約６０重量％のエチレンオキシド含量を有する、［１］に記載の１成分型親水性ポリウレタンシーラント。
［３］  エチレンオキシド含量を有する化合物は、化合物の重量を基準として少なくとも約７０重量％のエチレンオキシド含量を有する、［１］に記載の１成分型親水性ポリウレタンシーラント。
［４］  エチレンオキシド含量を有する化合物は、化合物の重量を基準として少なくとも約８０重量％のエチレンオキシド含量を有する、［１］に記載の１成分型親水性ポリウレタンシーラント。
［５］  エチレンオキシド含量を有する化合物は、エチレンオキシドキャップドポリオール、エチレンオキシドモノオールおよびエチレンオキシドポリオールからなる群から選択される、［１］に記載の１成分型親水性ポリウレタンシーラント。
［６］  エチレンオキシド含量を有する化合物は、エチレンオキシドを含有するアミンおよびポリオールの混合物である、［１］に記載の１成分型親水性ポリウレタンシーラント。
［７］  シラン末端ポリウレタンプレポリマーは、エチレンオキシドを含有する、［１］に記載の１成分型親水性ポリウレタンシーラント。
［８］  シーラントは、水への２４時間の暴露により少なくとも約５重量％および少なくとも約５体積％増加する、［１］に記載の１成分型親水性ポリウレタンシーラント。
［９］  シーラントは、水への２４時間の暴露により少なくとも約１０重量％および少なくとも約１０体積％増加する、［１］に記載の１成分型親水性ポリウレタンシーラント。
［１０］  １成分型親水性ポリウレタンシーラントの製造方法であって、
シラン末端ポリウレタンプレポリマー、
化合物の重量を基準として少なくとも約４０重量％のエチレンオキシド含量を有する化合物、および
触媒、
必要に応じて、可塑剤、充填剤、顔料、乾燥剤、光安定剤、抗酸化剤、揺変剤および結合剤の１以上
を組み合わせることを含み、前記１成分型親水性ポリウレタンシーラントは水への２４時間の暴露により少なくとも約１．４重量％および少なくとも約２．５体積％増加する、前記方法。
［１１］  エチレンオキシド含量を有する化合物は、化合物の重量を基準として少なくとも約６０重量％のエチレンオキシド含量を有する、［１０］に記載の方法。
［１２］  エチレンオキシド含量を有する化合物は、化合物の重量を基準として少なくとも約７０重量％のエチレンオキシド含量を有する、［１０］に記載の方法。
［１３］  エチレンオキシド含量を有する化合物は、化合物の重量を基準として少なくとも約８０重量％のエチレンオキシド含量を有する、［１０］に記載の方法。
［１４］  エチレンオキシド含量を有する化合物は、エチレンオキシドキャップドポリオール、エチレンオキシドモノオールおよびエチレンオキシドポリオールからなる群から選択される、［１０］に記載の方法。
［１５］  エチレンオキシド含量を有する化合物は、エチレンオキシドを含有するアミンおよびポリオールの混合物である、［１０］に記載の方法。
［１６］  シラン末端ポリウレタンプレポリマーは、エチレンオキシドを含有する、［１０］に記載の方法。
［１７］  シーラントは、水への２４時間の暴露により少なくとも約５重量％および少なくとも約５体積％増加する、［１０］に記載の方法。
［１８］  シーラントは、水への２４時間の暴露により少なくとも約１０重量％および少なくとも約１０体積％増加する、［１０］に記載の方法。
［１９］  プレポリマーの重量を基準として少なくとも約４０重量％のエチレンオキシド含量を有するシラン末端ポリウレタンプレポリマー、および
触媒、
必要に応じて、可塑剤、充填剤、顔料、乾燥剤、光安定剤、抗酸化剤、揺変剤および結合剤の１以上
を含み、水への２４時間の暴露により少なくとも約１．４重量％および少なくとも約２．５体積％増加する、１成分型親水性ポリウレタンシーラント。
［２０］  シラン末端ポリウレタンプレポリマーは、プレポリマーの重量を基準として少なくとも約６０重量％のエチレンオキシド含量を有する、［１９］に記載の１成分型親水性ポリウレタンシーラント。
［２１］  シラン末端ポリウレタンプレポリマーは、プレポリマーの重量を基準として少なくとも約７０重量％のエチレンオキシド含量を有する、［１９］に記載の１成分型親水性ポリウレタンシーラント。
［２２］  シラン末端ポリウレタンプレポリマーは、プレポリマーの重量を基準として少なくとも約８０重量％のエチレンオキシド含量を有する、［１９］に記載の１成分型親水性ポリウレタンシーラント。
［２３］  シーラントは、水への２４時間の暴露により少なくとも約５重量％および少なくとも約５体積％増加する、［１９］に記載の１成分型親水性ポリウレタンシーラント。
［２４］  シーラントは、水への２４時間の暴露により少なくとも約１０重量％および少なくとも約１０体積％増加する、［１９］に記載の１成分型親水性ポリウレタンシーラント。
【手続補正２】
【補正対象書類名】特許請求の範囲
【補正対象項目名】全文
【補正方法】変更
【補正の内容】
【特許請求の範囲】
【請求項１】
シラン末端ポリウレタンプレポリマー、
化合物の重量を基準として少なくとも約４０重量％のエチレンオキシド含量を有する化合物、および
触媒、
必要に応じて、可塑剤、充填剤、顔料、乾燥剤、光安定剤、抗酸化剤、揺変剤および結合剤の１以上
を含み、水への２４時間の暴露により少なくとも約１．４重量％および少なくとも約２．５体積％増加する、１成分型親水性ポリウレタンシーラント。
【請求項２】
エチレンオキシド含量を有する化合物は、エチレンオキシドキャップドポリオール、エチレンオキシドモノオールおよびエチレンオキシドポリオールからなる群から選択される、請求項１に記載の１成分型親水性ポリウレタンシーラント。
【請求項３】
エチレンオキシド含量を有する化合物は、エチレンオキシドを含有するアミンおよびポリオールの混合物である、請求項１に記載の１成分型親水性ポリウレタンシーラント。
【請求項４】
シーラントは、水への２４時間の暴露により少なくとも約５重量％および少なくとも約５体積％増加する、請求項１に記載の１成分型親水性ポリウレタンシーラント。
【請求項５】
１成分型親水性ポリウレタンシーラントの製造方法であって、
シラン末端ポリウレタンプレポリマー、
化合物の重量を基準として少なくとも約４０重量％のエチレンオキシド含量を有する化合物、および
触媒、
必要に応じて、可塑剤、充填剤、顔料、乾燥剤、光安定剤、抗酸化剤、揺変剤および結合剤の１以上
を組み合わせることを含み、前記１成分型親水性ポリウレタンシーラントは水への２４時間の暴露により少なくとも約１．４重量％および少なくとも約２．５体積％増加する、前記方法。
【請求項６】
エチレンオキシド含量を有する化合物は、エチレンオキシドを含有するアミンおよびポリオールの混合物である、請求項５に記載の方法。
【請求項７】
シラン末端ポリウレタンプレポリマーは、エチレンオキシドを含有する、請求項５に記載の方法。
【請求項８】
シーラントは、水への２４時間の暴露により少なくとも約５重量％および少なくとも約５体積％増加する、請求項５に記載の方法。
【請求項９】
プレポリマーの重量を基準として少なくとも約４０重量％のエチレンオキシド含量を有するシラン末端ポリウレタンプレポリマー、および
触媒、
必要に応じて、可塑剤、充填剤、顔料、乾燥剤、光安定剤、抗酸化剤、揺変剤および結合剤の１以上
を含み、水への２４時間の暴露により少なくとも約１．４重量％および少なくとも約２．５体積％増加する、１成分型親水性ポリウレタンシーラント。
【請求項１０】
シーラントは、水への２４時間の暴露により少なくとも約５重量％および少なくとも約５体積％増加する、請求項９に記載の１成分型親水性ポリウレタンシーラント。